(57)【要約】【課題】ＬＥＤ１が発生した熱を効率良く空気を介して放熱する。【解決手段】ＬＥＤ１を覆うための概略半球状のカバー（レンズ）２と、ＬＥＤ１からの熱を放熱するための複数の放熱フィン部分３ｂとを具備し、複数の放熱フィン部分３ｂを放射状に配列した照明装置において、カバー（レンズ）２を中空形状に形成することによってＬＥＤ１とカバー（レンズ）２との間に空間２１を配置し、その空間２１と、隣接する２個の放熱フィン部分３ｂの間の空間２２とを、複数の放熱フィン部分３ｂを支持する放熱機体本体部分３ａとカバー（レンズ）２との間の空間２３を介して連通した。【選択図】図３
2008021505.tif 000002
【特許請求の範囲】
【請求項１】
ＬＥＤと、前記ＬＥＤを覆うための概略半球状のカバーと、前記ＬＥＤからの熱を放熱するための複数の放熱フィンとを具備し、前記複数の放熱フィンを放射状に配列した照明装置において、前記カバーを中空形状に形成することによって前記ＬＥＤと前記カバーとの間に空間を配置し、その空間と、隣接する２個の放熱フィンの間の空間とを、前記複数の放熱フィンを支持する放熱機体と前記カバーとの間の空間を介して連通したことを特徴とする照明装置。
【請求項２】
前記放熱機体の内側の空間と、前記放熱機体の外側の隣接する２個の放熱フィンとの間の空間とを連通するためのスリットを前記放熱機体に形成したことを特徴とする請求項１に記載の照明装置。
【請求項３】
前記ＬＥＤに電力を供給するための基板に貫通穴を形成し、前記ＬＥＤを前記放熱機体上に実装すると共に、前記貫通穴の中に前記ＬＥＤを配置したことを特徴とする請求項１又は２に記載の照明装置。
【請求項４】
前記基板と電気的に接続するための電極部分を、前記ＬＥＤの表面および裏面のうち、前記放熱機体に対向する裏面とは反対側の表面に形成したことを特徴とする請求項３に記載の照明装置。
【請求項５】
前記放熱機体を中空形状に形成すると共に、前記放熱機体を隔てて前記ＬＥＤの反対側に伝熱リブを配置したことを特徴とする請求項３又は４に記載の照明装置。
【請求項６】
前記伝熱リブの一端を前記放熱機体を隔てて前記ＬＥＤの反対側に配置すると共に、前記伝熱リブの他端を前記放熱機体を隔てて前記放熱フィンの反対側に配置したことを特徴とする請求項５に記載の照明装置。
【請求項７】
前記複数の放熱フィン、前記放熱機体、および、前記伝熱リブを一部材によって形成したことを特徴とする請求項６に記載の照明装置。
【請求項８】
前記カバーによって前記複数の放熱フィンの一部を覆ったことを特徴とする請求項１〜７のいずれか一項に記載の照明装置。
【発明の詳細な説明】
【技術分野】
【０００１】
本発明は、ＬＥＤを覆うための概略半球状のカバーと、ＬＥＤからの熱を放熱するための複数の放熱フィンとが設けられ、複数の放熱フィンが放射状に配列された照明装置に関し、特には、ＬＥＤが発生した熱を効率良く空気を介して放熱することができる照明装置に関する。
【背景技術】
【０００２】
従来から、ＬＥＤを覆うための概略半球状のカバーと、ＬＥＤからの熱を放熱するための複数の放熱フィンとが設けられ、複数の放熱フィンが放射状に配列された照明装置が知られている。この種の照明装置の例としては、例えば特開２００５−９３０９７号公報に記載されたものがある。
【０００３】
特開２００５−９３０９７号公報に記載された照明装置では、ＬＥＤがヒートシンクに接着され、そのヒートシンクがＣｕ製ベース部に接着されている。更に、ＬＥＤおよびヒートシンクが蛍光体含有樹脂によって封止され、その蛍光体含有樹脂が更なる樹脂によって封止され、その更なる樹脂が、半球状に成形され、ＬＥＤのカバーとして機能している。
【０００４】
更に、特開２００５−９３０９７号公報に記載された照明装置では、Ｃｕ製ベース部の表面のうち、ＬＥＤとは反対側の面に、円筒状支持体が取り付けられ、その円筒状支持体の外周面には、ＬＥＤからの熱を放熱するための複数の放熱フィンが放射状に配列されている。
【０００５】
詳細には、特開２００５−９３０９７号公報に記載された照明装置では、ＬＥＤが発生した熱の一部が、ヒートシンク、Ｃｕ製ベース部、支持体および放熱フィンを介して放熱されている。また、ＬＥＤが発生した熱の一部が、ＬＥＤの周りの蛍光体含有樹脂、および、その周りの更なる樹脂を介して、その周りの空気に伝わり、その暖められた空気が、隣接する２個の放熱フィンの間を移動することにより、放熱されている。
【０００６】
ところで、特開２００５−９３０９７号公報に記載された照明装置では、上述したように、ＬＥＤが発生した熱の一部を周りの空気に伝え、その空気を冷却しようとしているにもかかわらず、ＬＥＤが蛍光体含有樹脂によって封止され、更に、その蛍光体含有樹脂が、ＬＥＤのカバーとして機能する半球状の更なる樹脂によって封止されている。その結果、特開２００５−９３０９７号公報に記載された照明装置では、ＬＥＤの熱が周りの空気まで伝わる効率が低下してしまっている。
【０００７】
換言すれば、特開２００５−９３０９７号公報に記載された照明装置では、周りの空気を介してＬＥＤの熱を放熱しようとしているにもかかわらず、ＬＥＤが、蛍光体含有樹脂およびその周りの更なる樹脂からなる２個の厚い樹脂層によって覆われているため、ＬＥＤの熱が周りの空気まで効率良く伝わることができない。すなわち、特開２００５−９３０９７号公報に記載された照明装置では、ＬＥＤが発生した熱を効率良く空気を介して放熱することができない。
【０００８】
【特許文献１】特開２００５−９３０９７号公報
【発明の開示】
【発明が解決しようとする課題】
【０００９】
前記問題点に鑑み、本発明は、ＬＥＤが発生した熱を効率良く空気を介して放熱することができる照明装置を提供することを目的とする。
【００１０】
詳細には、本発明は、ＬＥＤが発生した熱の一部を、樹脂、金属などを介することなく、空気のみを介して、効率良く放熱することができる照明装置を提供することを目的とする。
【課題を解決するための手段】
【００１１】
請求項１に記載の発明によれば、ＬＥＤと、前記ＬＥＤを覆うための概略半球状のカバーと、前記ＬＥＤからの熱を放熱するための複数の放熱フィンとを具備し、前記複数の放熱フィンを放射状に配列した照明装置において、前記カバーを中空形状に形成することによって前記ＬＥＤと前記カバーとの間に空間を配置し、その空間と、隣接する２個の放熱フィンの間の空間とを、前記複数の放熱フィンを支持する放熱機体と前記カバーとの間の空間を介して連通したことを特徴とする照明装置が提供される。
【００１２】
請求項２に記載の発明によれば、前記放熱機体の内側の空間と、前記放熱機体の外側の隣接する２個の放熱フィンとの間の空間とを連通するためのスリットを前記放熱機体に形成したことを特徴とする請求項１に記載の照明装置が提供される。
【００１３】
請求項３に記載の発明によれば、前記ＬＥＤに電力を供給するための基板に貫通穴を形成し、前記ＬＥＤを前記放熱機体上に実装すると共に、前記貫通穴の中に前記ＬＥＤを配置したことを特徴とする請求項１又は２に記載の照明装置が提供される。
【００１４】
請求項４に記載の発明によれば、前記基板と電気的に接続するための電極部分を、前記ＬＥＤの表面および裏面のうち、前記放熱機体に対向する裏面とは反対側の表面に形成したことを特徴とする請求項３に記載の照明装置が提供される。
【００１５】
請求項５に記載の発明によれば、前記放熱機体を中空形状に形成すると共に、前記放熱機体を隔てて前記ＬＥＤの反対側に伝熱リブを配置したことを特徴とする請求項３又は４に記載の照明装置が提供される。
【００１６】
請求項６に記載の発明によれば、前記伝熱リブの一端を前記放熱機体を隔てて前記ＬＥＤの反対側に配置すると共に、前記伝熱リブの他端を前記放熱機体を隔てて前記放熱フィンの反対側に配置したことを特徴とする請求項５に記載の照明装置が提供される。
【００１７】
請求項７に記載の発明によれば、前記複数の放熱フィン、前記放熱機体、および、前記伝熱リブを一部材によって形成したことを特徴とする請求項６に記載の照明装置が提供される。
【００１８】
請求項８に記載の発明によれば、前記カバーによって前記複数の放熱フィンの一部を覆ったことを特徴とする請求項１〜７のいずれか一項に記載の照明装置が提供される。
【発明の効果】
【００１９】
請求項１に記載の照明装置では、カバーを中空形状に形成することによってＬＥＤとカバーとの間に空間が配置されている。換言すれば、請求項１に記載の照明装置では、ＬＥＤが、樹脂によって封止されるのではなく、カバーの内側の空気によって覆われている。そのため、請求項１に記載の照明装置によれば、ＬＥＤが樹脂によって封止されている場合よりも、ＬＥＤの熱を周りの空気に効率良く伝えることができる。
【００２０】
更に、請求項１に記載の照明装置では、ＬＥＤとカバーとの間の空間と、隣接する２個の放熱フィンの間の空間とが、複数の放熱フィンを支持する放熱機体とカバーとの間の空間を介して連通されている。そのため、請求項１に記載の照明装置によれば、ＬＥＤとカバーとの間の空間の熱気を、複数の放熱フィンを支持する放熱機体とカバーとの間の空間を介して、隣接する２個の放熱フィンの間の空間に効果的に放出することができる。
【００２１】
その結果、請求項１に記載の照明装置によれば、ＬＥＤが発生した熱を、空気を介して効率良く放熱することができる。詳細には、請求項１に記載の照明装置によれば、ＬＥＤが発生した熱の一部を、樹脂、金属などを介することなく、空気のみを介して、効率良く放熱することができる。
【００２２】
請求項２に記載の照明装置では、放熱機体の内側の空間と、放熱機体の外側の隣接する２個の放熱フィンとの間の空間とを連通するためのスリットが放熱機体に形成されている。そのため、請求項２に記載の照明装置によれば、放熱機体の内側の空間の熱気を、放熱機体に形成されたスリットを介して、放熱機体の外側の隣接する２個の放熱フィンの間の空間に効果的に放出することができる。
【００２３】
その結果、請求項２に記載の照明装置によれば、例えば放熱機体の内側に配置された電源が発生した熱を、空気を介して効率良く放熱することができる。詳細には、請求項２に記載の照明装置によれば、例えば放熱機体の内側に配置された電源が発生した熱の一部を、樹脂、金属などを介することなく、空気のみを介して、効率良く放熱することができる。
【００２４】
請求項３に記載の照明装置では、ＬＥＤに電力を供給するための基板に貫通穴が形成されている。更に、請求項３に記載の照明装置では、ＬＥＤが基板を介して放熱機体上に実装されるのではなく、ＬＥＤが放熱機体上に実装されると共に、基板の貫通穴の中にＬＥＤが配置されている。
【００２５】
そのため、請求項３に記載の照明装置では、ＬＥＤが発生した熱が、基板を介して放熱機体に伝熱されるのではなく、基板を介することなく放熱機体に伝熱される。
【００２６】
その結果、請求項３に記載の照明装置によれば、ＬＥＤが基板を介して放熱機体上に実装される場合よりも、ＬＥＤから放熱機体への伝熱効率を向上させることができる。
【００２７】
ＬＥＤが基板を介して放熱機体上に実装されるのではなく、ＬＥＤが放熱機体上に実装されるにもかかわらず、基板と電気的に接続するための電極部分が、ＬＥＤの表面および裏面のうち、放熱機体に対向する裏面に形成されてしまうと、ＬＥＤの電極部分と基板とを電気的に接続する作業性が著しく悪化してしまう。
【００２８】
この点に鑑み、請求項４に記載の照明装置では、基板と電気的に接続するための電極部分が、ＬＥＤの表面および裏面のうち、放熱機体に対向する裏面とは反対側の表面に形成されている。そのため、請求項４に記載の照明装置によれば、ＬＥＤが放熱機体上に実装された後においても、ＬＥＤの電極部分と基板とを容易に電気的に接続することができる。換言すれば、請求項４に記載の照明装置によれば、ＬＥＤが基板を介することなく放熱機体上に実装される場合であっても、ＬＥＤの電極部分と基板とを容易に電気的に接続することができる。
【００２９】
請求項５に記載の照明装置では、放熱機体が中空形状に形成されている。そのため、請求項５に記載の照明装置によれば、放熱機体を成形によって形成することができる。
【００３０】
更に、請求項５に記載の照明装置では、放熱機体を隔ててＬＥＤの反対側に伝熱リブが配置されている。換言すれば、請求項５に記載の照明装置では、ＬＥＤが発生した熱の一部が、放熱機体を介して伝熱される。また、ＬＥＤが発生した熱の一部が、伝熱リブを介して伝熱される。そのため、請求項５に記載の照明装置によれば、伝熱リブが設けられていない場合よりも、ＬＥＤが発生した熱の伝熱効率を向上させることができる。
【００３１】
請求項６に記載の照明装置では、伝熱リブの一端が放熱機体を隔ててＬＥＤの反対側に配置されると共に、伝熱リブの他端が放熱機体を隔てて放熱フィンの反対側に配置されている。換言すれば、請求項６に記載の照明装置では、ＬＥＤが発生した熱の一部が、伝熱リブを介して伝熱され、放熱フィンから放熱される。つまり、請求項６に記載の照明装置では、ＬＥＤから伝熱リブに伝熱された熱のすべてが、中空形状の放熱機体の内側に配置された伝熱リブから放熱機体の内側に放熱されるのではなく、ＬＥＤから伝熱リブに伝熱された熱の一部が、中空形状の放熱機体の外側に配置された放熱フィンから放熱機体の外側に放熱される。
【００３２】
そのため、請求項６に記載の照明装置によれば、ＬＥＤから伝熱リブに伝熱された熱のすべてが放熱機体の内側に放熱される場合よりも、放熱効率を向上させることができる。
【００３３】
請求項７に記載の照明装置では、複数の放熱フィン、放熱機体、および、伝熱リブが一部材によって形成されている。そのため、請求項７に記載の照明装置によれば、複数の放熱フィン、放熱機体、および、伝熱リブが複数の部材によって形成されている場合よりも、照明装置全体の組立コストを低減することができる。更に、請求項７に記載の照明装置によれば、複数の放熱フィン、放熱機体、および、伝熱リブが複数の部材によって形成されている場合よりも、複数の放熱フィンと放熱機体との境界部分における伝熱抵抗の上昇、および、放熱機体と伝熱リブとの境界部分における伝熱抵抗の上昇を抑制することができる。
【００３４】
請求項８に記載の照明装置では、複数の放熱フィンの一部がカバーによって覆われている。換言すれば、請求項８に記載の照明装置では、複数の放熱フィンの一部がカバーの内側の空間内に配置されている。つまり、請求項８に記載の照明装置では、カバーが、複数の放熱フィンの一部とオーバーラップするまで延ばされている。
【００３５】
そのため、請求項８に記載の照明装置によれば、ＬＥＤとカバーとの間の空間の熱気を、隣接する２個の放熱フィンの間の空間までカバーによって案内することができる。
【発明を実施するための最良の形態】
【００３６】
以下、本発明の照明装置の第１の実施形態について説明する。図１〜図３は第１の実施形態の照明装置を示した図である。詳細には、図１（Ａ）は第１の実施形態の照明装置の平面図、図１（Ｂ）は第１の実施形態の照明装置の斜視図、図１（Ｃ）は第１の実施形態の照明装置の正面図、図１（Ｄ）は第１の実施形態の照明装置の右側面図である。図２（Ａ）は第１の実施形態の照明装置の左側面図、図２（Ｂ）は例えば乳白色のカバー（レンズ）２を透視して見た第１の実施形態の照明装置の正面図、図２（Ｃ）は第１の実施形態の照明装置の後側面図、図２（Ｄ）は第１の実施形態の照明装置の底面図である。図３（Ａ）は図２（Ｂ）のＡ−Ａ線に沿った断面図、図３（Ｂ）は図２（Ｂ）のＢ−Ｂ線に沿った断面図である。
【００３７】
図１〜図３において、１はＬＥＤを示しており、３はヒートシンクとしての放熱機体を示しており、３ａは放熱機体３の一部を構成する放熱機体本体部分を示している。第１の実施形態の照明装置では、図３（Ａ）および図３（Ｂ）に示すように、概略半球状の中空のカバー（レンズ）２によってＬＥＤ１が覆われている。更に、一端が開口し、他端が概略半球状の９面体によって閉じられた円筒により、放熱機体本体部分３ａが構成されている。つまり、放熱機体本体部分３ａが中空形状に形成されている。
【００３８】
また、図１〜図３において、３ａ１は放熱機体本体部分３ａに形成されたスリットを示しており、３ｂは放熱機体３の一部を構成する放熱フィン部分を示しており、３ｂ１は放熱フィン部分３ｂの先端部分を示している。第１の実施形態の照明装置では、図３（Ａ）に示すように、ＬＥＤ１が発生した熱の一部が、放熱機体本体部分３ａを介して放熱フィン部分３ｂに伝熱され、その放熱フィン部分３ｂから放熱される。
【００３９】
更に、図１〜図３において、３ｃは放熱機体３の一部を構成する伝熱リブ部分を示しており、３ｃ１，３ｃ２は伝熱リブ部分３ｃの端部を示している。第１の実施形態の照明装置では、図３（Ａ）および図３（Ｂ）に示すように、伝熱リブ部分３ｃが、中空の放熱機体本体部分３ａの内側に配置されている。
【００４０】
また、図１〜図３において、４はＬＥＤ１に電力を供給するためのフレキシブル基板を示しており、５は電源などが搭載された回路基板を示しており、６はホルダを示しており、７は口金を示している。２１はＬＥＤ１とカバー（レンズ）２との間の空間を示しており、２２は隣接する２個の放熱フィン部分３ｂの間の空間を示しており、２３は放熱機体本体部分３ａとカバー（レンズ）２との間の空間を示しており、２４は放熱機体本体部分３ａの内側の空間を示している。
【００４１】
図４は図１〜図３に示したカバー（レンズ）２の部品図である。詳細には、図４（Ａ）はカバー（レンズ）２の平面図、図４（Ｂ）はカバー（レンズ）２の斜視図、図４（Ｃ）はカバー（レンズ）２の正面図、図４（Ｄ）は図４（Ｃ）のＣ−Ｃ線に沿った断面図である。
【００４２】
図５〜図７は図１〜図３に示した放熱機体３の部品図である。詳細には、図５（Ａ）は放熱機体３の平面図、図５（Ｂ）は放熱機体３の斜視図、図５（Ｃ）は放熱機体３の正面図、図５（Ｄ）は放熱機体３の右側面図である。図６（Ａ）は放熱機体３の左側面図、図６（Ｂ）は放熱機体３の正面図、図６（Ｃ）は放熱機体３の後側面図、図６（Ｄ）は放熱機体３の底面図である。図７（Ａ）は図６（Ｂ）のＤ−Ｄ線に沿った断面図、図７（Ｂ）は図６（Ｂ）のＥ−Ｅ線に沿った断面図である。
【００４３】
第１の実施形態の照明装置では、図５（Ｂ）、図５（Ｃ）および図６（Ｃ）に示すように、例えば１８個の放熱フィン部分３ｂが、放熱機体本体部分３ａの中心軸線を中心に放射状に配列されている。換言すれば、例えば１８個の放熱フィン部分３ｂが放熱機体本体部分３ａによって支持されている。
【００４４】
図８は放熱機体本体部分３ａ（図５〜図７参照）に対して固定されたＬＥＤ１およびフレキシブル基板４を示した図である。詳細には、図８（Ａ）はＬＥＤ１およびフレキシブル基板４を示した図５（Ａ）に対応する平面図、図８（Ｂ）はＬＥＤ１およびフレキシブル基板４を示した図５（Ｂ）に対応する斜視図、図８（Ｃ）はＬＥＤ１およびフレキシブル基板４を示した図５（Ｃ）に対応する正面図、図８（Ｄ）はＬＥＤ１およびフレキシブル基板４を示した図５（Ｄ）に対応する右側面図である。図９はＬＥＤ１とフレキシブル基板４と放熱機体本体部分３ａと伝熱リブ部分３ｃとの関係を概略的に示した断面図、図１０は図３に示した回路基板５の斜視図である。
【００４５】
図８および図９において、１ａはＬＥＤ１の表面に形成された発光部分を示しており、１ｂはＬＥＤ１の表面に形成された電極部分を示しており、４ａはフレキシブル基板４に形成された貫通穴を示しており、４ｂはフレキシブル基板４の表面に形成された電極部分を示している。
【００４６】
第１の実施形態の照明装置では、ＬＥＤ１がフレキシブル基板４を介して放熱機体本体部分３ａ上に実装されるのではなく、図９に示すように、ＬＥＤ１が、放熱機体本体部分３ａ上に実装されると共に、フレキシブル基板４の貫通穴４ａの中に配置されている。詳細には、ＬＥＤ１が例えば熱伝導性接着剤によって放熱機体本体部分３ａに対して接着固定されている。そのため、ＬＥＤ１が発生した熱が、フレキシブル基板４を介して放熱機体本体部分３ａに伝熱されるのではなく、フレキシブル基板４を介することなく放熱機体本体部分３ａに伝熱される。
【００４７】
そのため、第１の実施形態の照明装置によれば、ＬＥＤ１がフレキシブル基板４を介して放熱機体本体部分３ａ上に実装される場合よりも、ＬＥＤ１から放熱機体本体部分３ａへの伝熱効率を向上させることができる。
【００４８】
更に、第１の実施形態の照明装置では、図９に示すように、フレキシブル基板４の電極部分４ｂと電気的に接続するためのＬＥＤ１の電極部分１ｂが、ＬＥＤ１の表面（図９の上側の面）および裏面（図９の下側の面）のうち、放熱機体本体部分３ａに対向する裏面（図９の下側の面）とは反対側の表面（図９の上側の面）に形成されている。
【００４９】
そのため、第１の実施形態の照明装置によれば、ＬＥＤ１が放熱機体本体部分３ａ上に実装された後においても、ＬＥＤ１の電極部分１ｂとフレキシブル基板４の電極部分４ｂとを容易に電気的に接続することができる。換言すれば、第１の実施形態の照明装置によれば、ＬＥＤ１がフレキシブル基板４を介することなく放熱機体本体部分３ａ上に実装される場合であっても、ＬＥＤ１の電極部分１ｂとフレキシブル基板４の電極部分４ｂとを容易に電気的に接続することができる。
【００５０】
詳細には、第１の実施形態の照明装置では、図５（Ｂ）、図５（Ｃ）、図８（Ｂ）および図８（Ｃ）に示すように、５個のＬＥＤ１が、放熱機体本体部分３ａの概略半球状の部分に実装されている。更に、電力がフレキシブル基板４から５個のＬＥＤ１に供給されると、５個のＬＥＤ１から光が照射され、その光が、図３（Ａ）および図３（Ｂ）に示すように、空間２１，２３およびカバー（レンズ）２を介して照明装置の外側に照射される。
【００５１】
また、第１の実施形態の照明装置では、図３（Ａ）、図５（Ｂ）および図８（Ｂ）に示すように、ＬＥＤ１が発生した熱の一部が、放熱機体本体部分３ａを介して放熱フィン部分３ｂに伝熱され、放熱フィン部分３ｂから放熱される。
【００５２】
更に、第１の実施形態の照明装置では、図１（Ｂ）、図３（Ａ）および図３（Ｂ）に示すように、ＬＥＤ１が発生した熱の一部が、ＬＥＤ１とカバー（レンズ）２との間の空間２１の空気に伝熱され、次いで、ＬＥＤ１とカバー（レンズ）２との間の空間２１の熱気が、放熱機体本体部分３ａとカバー（レンズ）２との間の空間２３を介して、隣接する２個の放熱フィン部分３ｂの間の空間２２に放出される。
【００５３】
すなわち、第１の実施形態の照明装置では、図３（Ａ）および図３（Ｂ）に示すように、カバー（レンズ）２を中空形状に形成することによってＬＥＤ１とカバー（レンズ）２との間に空間２１が配置されている。換言すれば、ＬＥＤ１が、樹脂によって封止されるのではなく、カバー（レンズ）２の内側の空気によって覆われている。そのため、第１の実施形態の照明装置によれば、ＬＥＤ１が樹脂によって封止されている場合よりも、ＬＥＤ１の熱を周りの空気に効率良く伝えることができる。
【００５４】
また、第１の実施形態の照明装置では、図１（Ｂ）、図３（Ａ）および図３（Ｂ）に示すように、ＬＥＤ１とカバー（レンズ）２との間の空間２１と、隣接する２個の放熱フィン部分３ｂの間の空間２２とが、放熱機体本体部分３ａとカバー（レンズ）２との間の空間２３を介して連通されている。そのため、第１の実施形態の照明装置によれば、ＬＥＤ１とカバー（レンズ）２との間の空間２１の熱気を、放熱機体本体部分３ａとカバー（レンズ）２との間の空間２３を介して、隣接する２個の放熱フィン部分３ｂの間の空間２２に効果的に放出することができる。その結果、第１の実施形態の照明装置によれば、ＬＥＤ１が発生した熱を、空気を介して効率良く放熱することができる。
【００５５】
詳細には、第１の実施形態の照明装置では、図１（Ｂ）、図２（Ｄ）および図３（Ａ）に示すように、放熱フィン部分３ｂの一部がカバー（レンズ）２によって覆われている。換言すれば、第１の実施形態の照明装置では、放熱フィン部分３ｂの先端部分３ｂ１がカバー（レンズ）２の内側の空間内に配置されている。つまり、カバー（レンズ）２が、放熱フィン部分３ｂの先端部分３ｂ１とオーバーラップするまで延ばされている。そのため、第１の実施形態の照明装置によれば、ＬＥＤ１とカバー（レンズ）２との間の空間２１の熱気を、隣接する２個の放熱フィン部分３ｂの間の空間２２までカバー（レンズ）２によって案内することができる。
【００５６】
更に、第１の実施形態の照明装置では、図３（Ａ）および図３（Ｂ）に示すように、放熱機体本体部分３ａが中空形状に形成され、放熱機体本体部分３ａを隔ててＬＥＤ１の反対側（図３（Ａ）および図３（Ｂ）の下側）に伝熱リブ部分３ｃが配置されている。
【００５７】
換言すれば、第１の実施形態の照明装置では、図３（Ａ）および図３（Ｂ）に示すように、ＬＥＤ１が発生した熱の一部が、放熱機体本体部分３ａおよび伝熱リブ部分３ｃを介して伝熱される。そのため、第１の実施形態の照明装置によれば、ＬＥＤ１の反対側に伝熱リブ部分３ｃが設けられていない場合よりも、ＬＥＤ１が発生した熱の伝熱効率を向上させることができる。
【００５８】
詳細には、第１の実施形態の照明装置では、図３（Ａ）に示すように、伝熱リブ部分３ｃの端部３ｃ１が放熱機体本体部分３ａを隔ててＬＥＤ１の反対側（図３（Ａ）の下側）に配置されると共に、伝熱リブ部分３ｃの端部３ｃ２が放熱機体本体部分３ａを隔てて放熱フィン部分３ｂの反対側（図３（Ａ）の右側）に配置されている。
【００５９】
換言すれば、第１の実施形態の照明装置では、図３（Ａ）に示すように、ＬＥＤ１が発生した熱の一部が、伝熱リブ部分３ｃを介して放熱フィン部分３ｂに伝熱され、放熱フィン部分３ｂから放熱される。つまり、第１の実施形態の照明装置では、ＬＥＤ１から伝熱リブ部分３ｂに伝熱された熱のすべてが、伝熱リブ部分３ｃから放熱機体本体部分３ａの内側の空間２４に放熱されるのではなく、ＬＥＤ１から伝熱リブ部分３ｃに伝熱された熱の一部が、放熱フィン部分３ｂに伝熱され、放熱フィン部分３ｂから放熱機体本体部分３ａの外側に放熱される。そのため、第１の実施形態の照明装置によれば、ＬＥＤ１から伝熱リブ部分３ｃに伝熱された熱のすべてが放熱機体本体部分３ａの内側の空間２４に放熱される場合よりも、放熱効率を向上させることができる。
【００６０】
更に、第１の実施形態の照明装置では、図１（Ａ）、図１（Ｂ）、図１（Ｄ）、図２（Ａ）、図２（Ｄ）、図３（Ｂ）および図６（Ｃ）に示すように、放熱機体本体部分３ａの内側の空間２４と、放熱機体本体部分３ａの外側の隣接する２個の放熱フィン部分３ｂとの間の空間２２とを連通するためのスリット３ａ１が放熱機体本体部分３ａに形成されている。そのため、第１の実施形態の照明装置によれば、回路基板５等から放熱機体本体部分３ａの内側の空間２４に放出された熱気を、スリット３ａ１を介して、放熱機体本体部分３ａの外側の隣接する２個の放熱フィン部分３ｂの間の空間２２に効果的に放出することができる。その結果、第１の実施形態の照明装置によれば、電源等を有する回路基板５が発生した熱を、空気を介して効率良く放熱することができる。
【００６１】
詳細には、第１の実施形態の照明装置では、放熱機体本体部分３ａと、放熱フィン部分３ｂと、伝熱リブ部分３ｃとを有する放熱機体３が、例えばアルミダイキャストによって一部材として形成されている。第２の実施形態の照明装置では、代わりに、放熱機体本体部分３ａと、放熱フィン部分３ｂと、伝熱リブ部分３ｃとを別個の部材によって構成することも可能である。
【００６２】
更に詳細には、第１の実施形態の照明装置では、例えば交流１００Ｖ電源が口金７を介して給電されると、回路基板５に搭載された定電流電源によって定電流が生成され、フレキシブル基板４を介してＬＥＤ１に供給される。また、第１の実施形態の照明装置では、図３（Ａ）および図３（Ｂ）に示すように、絶縁材によって形成されたホルダ６を介して、放熱機体３と口金７とが接続されている。更に、第１の実施形態の照明装置では、例えばＬＥＤ１を遠隔調光するための調光回路が回路基板５に搭載されている。
【図面の簡単な説明】
【００６３】
【図１】第１の実施形態の照明装置を示した図である。
【図２】第１の実施形態の照明装置を示した図である。
【図３】第１の実施形態の照明装置を示した図である。
【図４】図１〜図３に示したカバー（レンズ）２の部品図である。
【図５】図１〜図３に示した放熱機体３の部品図である。
【図６】図１〜図３に示した放熱機体３の部品図である。
【図７】図１〜図３に示した放熱機体３の部品図である。
【図８】放熱機体本体部分３ａ（図５〜図７参照）に対して固定されたＬＥＤ１およびフレキシブル基板４を示した図である。
【図９】ＬＥＤ１とフレキシブル基板４と放熱機体本体部分３ａと伝熱リブ部分３ｂとの関係を概略的に示した断面図である。
【図１０】図３に示した回路基板５の斜視図である。
【符号の説明】
【００６４】
１                      ＬＥＤ
１ａ                    発光部分
１ｂ                    電極部分
２                      カバー（レンズ）
３                      放熱機体
３ａ                    放熱機体本体部分
３ａ１                  スリット
３ｂ                    放熱フィン部分
３ｂ１                  先端部分
３ｃ                    伝熱リブ部分
３ｃ１，３ｃ２          端部
４                      フレキシブル基板
４ａ                    貫通穴
４ｂ                    電極部分
５                      回路基板
６                      ホルダ
７                      口金
２１，２２，２３，２４  空間
【図１】
2008021505.tif 000003
【図２】
2008021505.tif 000004
【図３】
2008021505.tif 000005
【図４】
2008021505.tif 000006
【図５】
2008021505.tif 000007
【図６】
2008021505.tif 000008
【図７】
2008021505.tif 000009
【図８】
2008021505.tif 000010
【図９】
2008021505.tif 000011
【図１０】
2008021505.tif 000012